(57)【特許請求の範囲】
【請求項１】
前後方向に延びる、車両床面に対して移動不能なロアレールと、
該ロアレールに前後方向に並べて形成した、上下方向に延びかつ一端が開放した複数のロック溝と、
該ロアレールに前後方向にスライド可能として支持され、かつ前後方向に離間した複数の支持部を有するアッパレールと、
上記支持部にそれぞれ支持された部位の間に上下方向に弾性変形可能として形成した弾性変形部に、上記ロック溝と係脱可能なロック部を設けたロックバネと、
上記アッパレールに回転可能に支持し、かつ、上記弾性変形部に自身のバネ押圧部を係合させたロック解除レバーと、
を備え、
上記ロック解除レバーは、上記弾性変形部の付勢力によって上記ロック部が上記ロック溝と係合するのを許容するロック位置と、上記バネ押圧部によって上記弾性変形部を押圧することにより、上記ロック部を上記ロック溝から脱出させるアンロック位置と、の間を回転可能であることを特徴とする車両用スライドレール装置。
【発明の詳細な説明】
【技術分野】
【０００１】
本発明は、シートをスライド可能に支持する車両用スライドレール装置に関する。
【背景技術】
【０００２】
車両用スライドレール装置の従来技術として、前後方向に延びかつ前後方向に並ぶ複数のロック溝を有する、車内床面に固定した左右一対のロアレールと、シートの座部を支持し、かつ左右のロアレールにスライド可能に支持した左右一対のアッパレールと、アッパレールの内部空間に収納した、ロック溝と係合するロック位置とロック溝との係合を解除するアンロック位置との間を上下方向に回転可能としてアッパレールに支持したロックレバーと、ロックレバーをロック位置側に回転付勢するワイヤスプリング（付勢手段）と、その後部がロックレバーに固定され、その前部がアッパレールの前方に突出する操作レバーと、を具備したものがある。
従って、乗客が操作レバーに操作力を与えないときは、ワイヤスプリングの付勢力によてロック位置に保持されたロックレバーがいずれかのロック溝と係合するので、シート及びアッパレールのロアレールに対するスライド位置が保持される。一方、乗客がワイヤスプリングの付勢力に抗して操作レバーを操作することによりロックレバーをアンロック位置まで回転させると、ロックレバーがロック溝との係合を解除するので、シート及びアッパレールはロアレールに対してスライド可能となる。
【先行技術文献】
【特許文献】
【０００３】
【特許文献１】特許第４０１３５９１号公報
【発明の概要】
【発明が解決しようとする課題】
【０００４】
ロックレバー（操作レバー）を回転させてロック解除動作を行うときに、ロックレバーは（厳密に）下向きに移動するのではなく、ロックレバーの回転中心を中心とする円周方向に移動することになる。即ち、ロック溝の延長方向と平行な方向に移動するのではなく、該延長方向と非平行な方向に移動することになる。そのためロック解除動作を行うとき、及び、ロック溝から脱出したロック部がロック溝に対して係合する方向に戻るときに、ロックレバーがロック溝と円滑に係脱できなくなるおそれがある。またアンロック動作を行うためのロックレバーの回転ストロークを大きくしなければならなかった。
【０００５】
本発明は、ロアレールに形成したロック溝と係脱するロック部を有するロックバネを、ロック溝の延長方向とできる限り平行な方向に移動させることにより、ロック解除レバーを大きく回転させることなく、ロック部をロック溝に対して円滑に係脱できるようにした車両用スライドレール装置を提供することを目的とする。
【課題を解決するための手段】
【０００６】
本発明の車両用スライドレール装置は、前後方向に延びる、車両床面に対して移動不能なロアレールと、該ロアレールに前後方向に並べて形成した、上下方向に延びかつ一端が開放した複数のロック溝と、該ロアレールに前後方向にスライド可能として支持され、かつ前後方向に離間した複数の支持部を有するアッパレールと、上記支持部にそれぞれ支持された部位の間に上下方向に弾性変形可能として形成した弾性変形部に、上記ロック溝と係脱可能なロック部を設けたロックバネと、上記アッパレールに回転可能に支持し、かつ、上記弾性変形部に自身のバネ押圧部を係合させたロック解除レバーと、を備え、上記ロック解除レバーは、上記弾性変形部の付勢力によって上記ロック部が上記ロック溝と係合するのを許容するロック位置と、上記バネ押圧部によって上記弾性変形部を押圧することにより、上記ロック部を上記ロック溝から脱出させるアンロック位置と、の間を回転可能であることを特徴としている。
【発明の効果】
【０００７】
本発明によれば、アッパレールに回転可能に支持したロック解除レバーのバネ押圧部がロックバネの弾性変形部を押圧する。しかしロックバネの弾性変形部はロック溝の延長方向（上下方向）と（ほぼ）平行な方向に弾性変形するので、ロック部をロック溝に対して円滑に係脱させることが可能である。
さらにロック部は上下方向に移動するものなので、ロック／アンロック操作時にロック解除レバーを大きく回転させる必要がない。
【図面の簡単な説明】
【０００８】
【図１】本発明の一実施形態のアッパレールが前端位置までスライドしたときのスライドシート装置の側面図である。
【図２】スライドレール装置の前斜め上方から見た斜視図である。
【図３】スライドレール装置を前斜め上方から見た分解斜視図である。
【図４】スライドレール装置を左側のレールを省略して示す前斜め下方から見た分解斜視図である。
【図５】図１のＶ−Ｖ矢線に沿う断面図である。
【図６】分離状態にあるアッパレールとロックバネの中央部を下方から見た拡大斜視図である。
【図７】組み付けた状態にあるアッパレール、ロック解除レバー、及び、ロックバネの下方から見た斜視図である。
【図８】ロック状態にあるときのアッパレール、ロック解除レバー、及び、ループハンドルを、アッパレールのみを縦断側面図として表した側面図である。
【図９】アンロック状態にあるときの図８と同様の側面図である。
【図１０】ロアレールの外側壁とアッパレールの立上り壁および被ロック壁を切断して示す、ロック状態にあるアッパレールとロアレールの拡大斜視図である。
【図１１】ロックバネがロック位置とロック解除位置に位置するときの状態を示す模式的な側面図である。
【図１２】アッパレールとロック解除レバーの前端部、及び、ループハンドルの後端部を下方から見た拡大斜視図である。
【図１３】ロック解除レバーの下方から見た斜視図である。
【図１４】ロック解除レバーの前端部、付勢バネ、及び、ループハンドルの後端部を拡大して示す分解斜視図である。
【図１５】ロック解除レバーの前端部、付勢バネ、及び、ループハンドルの後端部を互いに組み付けたときの拡大斜視図である。
【図１６】ループハンドルの後端部とロック解除レバーの前端部を付勢バネを省略して示す拡大縦断側面図である。
【図１７】ループハンドルを下方に押し下げたときの図１６と同様の図である。
【図１８】スライドシート装置を搭載した車両に別の車両が衝突することにより右側のレールユニットの後端部が前端部に比べて上方に移動したときの図２と同様の斜視図である。
【図１９】右側のレールユニットの後端部が前端部に比べてさらに上方に移動したときの図１８と同様の斜視図である。
【図２０】変形例のロック解除レバーの上方から見た斜視図である。
【図２１】同じく図１２と同様の拡大斜視図である。
【図２２】同じく図５と同様の断面図である。
【図２３】別の変形例のロック解除レバーの上方から見た斜視図である。
【図２４】さらに別の変形例のロック解除レバーの中間部と狭幅部の接続部付近の拡大底面図である。
【発明を実施するための形態】
【０００９】
以下、図１〜図１９を参照しながら本発明の一実施形態について説明する。なお、以下の説明中の方向は図中に記載した矢線方向を基準とする。
図示を省略した自動車（車両）の車内床面を構成する床板Ｆ（図１参照）にはスライドシート装置１０が設けてある。床板Ｆには一つのスライドシート装置１０に対して４つ（左右それぞれに前後２つずつ）のネジ孔Ｆ１が穿設してあり、床板Ｆの下面における各ネジ孔Ｆ１と対応する位置にはネジ孔Ｆ１と同心をなすウェルドナットＮが固定してある。また床板Ｆには前側のネジ孔Ｆ１の直後に位置する位置決め孔Ｆ２が穿設してある。スライドシート装置１０は、その下部を構成するスライドレール装置１５と、スライドレール装置１５（アッパレール３５）の上面に固定したシート１１と、を備えている。
【００１０】
次にスライドレール装置１５の詳しい構造について説明する。
スライドレール装置１５は大きな構成要素として、左右一対のレールユニット２０と、左右のレールユニット２０の前端部同士を接続するループハンドル７０と、を具備している。左右のレールユニット２０は同じ構造であり、かつループハンドル７０は左右対称形状なので、スライドレール装置１５は全体として左右対称である。
左右のレールユニット２０は以下の構造である。
レールユニット２０は床板Ｆに載置されるロアレール２１を有している。ロアレール２１は前後方向に延びかつ上面が開口した金属製のチャンネル材であり、略水平な底壁２２と、底壁２２の左右両側部から上方に延びる左右一対の外壁部２３と、左右の外壁部２３の上縁部から内側において下方に延びる左右一対の内壁部２４と、を具備している。図４、１０等に示すように、左右の内壁部２４の下縁部には多数のロック溝２５が前後方向に並べて形成してある。さらに図４に示すように、底壁２２の前後両端近傍には一対のボルト挿入孔２２ａが穿設してあり、前側のボルト挿入孔２２ａの直後には位置決め孔２２ｂが穿設してある。底壁２２の下面の前後両端近傍にはスペーサ２７が固定してあり、スペーサ２７に形成した貫通孔２８がボルト挿入孔２２ａと同心をなしている。
底壁２２の前後のボルト挿入孔２２ａには上方から前後一対の固定ボルト（固定部材）３０がそれぞれ挿入してある。固定ボルト３０は、上端部を構成する頭部（突出部）３１と、頭部３１の下端に接続する頭部３１及びボルト挿入孔２２ａより大径のフランジ３２と、フランジ３２の下面から下方に延びるボルト挿入孔２２ａ及び貫通孔２８より若干小径のネジ部３３と、を有している。
【００１１】
レールユニット２０は、ロアレール２１に対して前後方向にスライド可能なアッパレール３５を有している。アッパレール３５は前後方向に延びかつ下面が開口した金属製のチャンネル材であり、断面形状が略下向きコ字形をなしその内部空間がレバー収納溝３７を構成する基部３６（略水平な天井部３６ａと、天井部３６ａの左右両側部から垂下する一対の側壁部３６ｂと、を具備している）と、側壁部３６ｂの長手方向の中央部を除く部分から上方に延びる立上り壁３８と、該中央部から上方に延びる被ロック壁３９と、を具備している。図３、４、６等に示すように、左右の被ロック壁３９の下縁部と基部３６の側壁の下縁部とに跨る部分には４つの案内溝４０が上向きに形成してある。さらに図３、図７等に示すように、基部３６の天井部３６ａの中央部近傍には下方に向かった後に後方に延びる係止片４２（支持部）が切り起こしにより形成してあり、左右の側壁部３６ｂの中央部よりやや前側に位置する部分には内向きの係止片４３（支持部）がそれぞれ切り起こしにより形成してある。
【００１２】
レールユニット２０はさらにアッパレール３５に装着したロック解除レバー４７とロックバネ６３を具備している。
ロック解除レバー４７は金属板のプレス成形品であり、前後方向に延びかつ下面が開口した金属製のチャンネル材であり、基壁４７ｄと、基壁４７ｄの左右両側縁部から垂下する側壁５１と、を具備している。ロック解除レバー４７の断面形状は全長に渡って略下向きコ字形であり、ロック解除レバー４７の長手方向の中央部の直前に位置する部分は内部空間が受容凹部４８ａを構成する中間部４８を構成しており、中間部４８の直後に位置する部分はその前後に比べて狭幅の狭幅部４９となっている。さらに左右の側壁５１の外側面（中間部４８と狭幅部４９の接続部付近の外側面）に形成された上下方向に延びる稜線部４７ｂはＲ面となっている（図３、図４、図８、図９、図１３参照）。図３、図４、図８、図９に示すようにロック解除レバー４７の上面には左右方向に延びる回転接触凸部５０が突設してある。またロック解除レバー４７の左右の側壁５１の後端近傍部の下面にはバネ掛け溝５２（バネ押圧部）がそれぞれ凹設してあり、ロック解除レバー４７の基壁４７ｄにはロックバネ係止孔５３とバネ係止孔５４がそれぞれ穿設してある。また、左右の側壁５１におけるバネ掛け溝５２の直前には稜線部４７ｂと略同じ形状である稜線部５２ａが形成してある（図８、図９、図１３参照）。ロック解除レバー４７の中間部４８より前方に位置する部分は中間部４８に比べて広幅である接続部５５を構成しており、接続部５５より後方に位置する部分がレール内蔵部４７ａを構成している。接続部５５の前端部の天井部の下面は偏平な前方規制部５６となっており、前方規制部５６の直下の空間は前方許容空間５７を構成している。さらに接続部５５における前方規制部５６の直後には凹部５８が形成してあり、該凹部５８によって形成された空間が後方許容空間５９を構成している。また凹部５８の左右の下縁部からは互いに近づく方向に延びる略水平な後方規制片６０（上面が後方規制部６０ａを構成している）が突設してある。また前方許容空間５７と後方許容空間５９を合わせた空間が接続空間６１を構成している。
ロックバネ６３は金属製の線材を曲折加工した略左右対称な部材である。ロックバネ６３の左右両側部の長手方向の中央部よりやや後方に位置する部分には外側に向かって略水平に延びる前後一対のロック部６４が形成してある。ロック部６４より後方に位置する部分は自由状態においてロック部６４から上斜め後方に向かって延びており、ロック部６４より前方に位置する部分は自由状態においてロック部６４から上斜め前方に向かって延びている。ロックバネ６３の前端には左右一対の前端係止片６５が上向きに突設してあり、前端係止片６５の直後に位置する部分はレバー押圧部６６を構成している。
ロック解除レバー４７のレール内蔵部４７ａはアッパレール３５のレバー収納溝３７内に収納してあり、回転接触凸部５０が基部３６の天井面に接触している（図８、図９の接触部Ａ参照。レール内蔵部４７ａ上面における回転接触凸部５０以外の部分とレバー収納溝３７の天井面の間には空間が形成されている）。図７から図９に示すようにロックバネ６３は、その後端部を係止片４２に係止し（図８の三角印を参照）、ロック部６４よりやや前側に位置する部分を左右の係止片４３にそれぞれ係止し（図８の三角印を参照）、各ロック部６４を対応する案内溝４０に下方から係合し、さらに左右の前端係止片６５を下方からロックバネ係止孔５３に挿入し、かつ左右のレバー押圧部６６の前端近傍部をロックバネ係止孔５３の後縁部に係止し、ロックバネ６３における一対のロック部６４の間に位置する部分にバネ掛け溝５２を上方から係止している。このようにしてロックバネ６３をアッパレール３５及びロック解除レバー４７に取り付けるとロックバネ６３はアッパレール３５に対して前後動が実質的に規制された状態（ロックバネ６３と係止片４２の係止が解除されず、前端係止片６５がロックバネ係止孔５３から抜け出さない微小範囲内でのみ移動可能な状態、または前後動を完全に規制した状態）となり、さらにロックバネ６３の左右の一部（前半部）が狭幅部４９の両側壁５１とアッパレール３５の両側壁部３６ｂの間に形成された左右一対の空間内に位置する（図７参照）。またレバー収納溝３７に収納されたロックバネ６３は弾性変形することにより上向きの付勢力（弾性力）を発生するため（図８の↑印を参照）、この付勢力によってロック解除レバー４７の回転接触凸部５０が基部３６の天井部３６ａに押しつけられ、ロック解除レバー４７は天井部３６ａと回転接触凸部５０の接触部Ａを中心にして回転接触凸部５０回りに（左右方向の仮想回転軸回りに）回転可能となり、接続部５５に上向きの外力を掛けないときロック解除レバー４７は図８に示すロック位置に保持される。一方、ロックバネ６３の付勢力に抗して接続部５５に上向きの外力を掛けるとロック解除レバー４７は図９に示すアンロック位置まで回転する。すると、図９に示すようにロック解除レバー４７のバネ掛け溝５２が一対のロック部６４の間に位置する部分を下方に押し下げるので、各ロック部６４が対応する案内溝４０の下方に脱出する（図９、及び図１１の仮想線参照）。図１１に示すように、ロック解除レバー４７がロック位置とアンロック位置の間を回転するとき、各ロック部６４の案内溝４０内に位置する部位（ロック部６４の前部と後部）はほぼ上下方向に移動する。
【００１３】
このようにして一体化したアッパレール３５、ロック解除レバー４７、及び、ロックバネ６３を、ロアレール２１の前端開口又は後端開口からロアレール２１の内部に挿入することによりアッセンブリしたものがレールユニット２０である。レールユニット２０をアッセンブリすると図５に示すように、アッパレール３５の立上り壁３８及び被ロック壁３９が外壁部２３と内壁部２４の間に形成された空間に入り込み、さらに当該空間に配設したリテーナ６８に回転可能に支持された複数のベアリングボール６９が立上り壁３８の外面と外壁部２３の内面にそれぞれ回転可能に接触するので、アッパレール３５（及びロック解除レバー４７、ロックバネ６３）はロアレール２１に対して前後方向にスライド可能となる。
またロック解除レバー４７がロック位置に位置するときは、図８、図１０、及び図１１の実線で示すように各ロック部６４が対応するロック溝２５に下方から係合するので、アッパレール３５のロアレール２１に対するスライドは規制される。一方、ロック解除レバー４７をアンロック位置まで下方に回転させると、図９及び図１１の仮想線で示すように各ロック部６４が係合していたロック溝２５から下方に脱出するので、アッパレール３５はロアレール２１に対してスライド可能となる。
アッセンブリされた左右一対のレールユニット２０は、互いを平行にしかつ互いの前後位置を合わせた上で（アッパレール３５のロアレール２１に対するスライド位置も一致させる）、アッパレール３５の上面にシート１１の座部の下面が載せられ、図示を省略した複数のボルトによって左右のアッパレール３５にシート１１の座部が固定される。
【００１４】
このようにして左右のレールユニット２０とシート１１を一体化したら、左右のロック解除レバー４７に対してトーションスプリング（付勢手段）７６を利用してループハンドル（ハンドル）７０を接続する。
ループハンドル７０は断面円形をなす金属製のパイプ材を曲げ加工したものであり、左右方向に延びる直線部と該直線部の左右両端部から後斜め下方に向かって延びる一対の傾斜部とを有する把持部７１と、把持部７１の左右両端部からそれぞれ後方に向かって延びる一対の後端接続部７２と、を具備している。左右の後端接続部７２の下面には凹部が形成してあり、該凹部の上面は下側当接面７３となっている。また後端接続部７２の下面には下側当接面７３の直前に位置する左右方向に延びる係止溝７４が形成してある。
トーションスプリング７６は金属製の線材を曲折加工した略左右対称な部材である。トーションスプリング７６の後端部には上向き突片７７が突設してあり、トーションスプリング７６の前縁部には左右方向に延びる前側係止部７８となっている。さらにトーションスプリング７６の一方の側部の前半部の後端には上向きの係止突起７９が突設してあり、後半部の前端には下向きの係止突起８０が突設してある。
ループハンドル７０とトーションスプリング７６をロック解除レバー４７に接続するには、まず左右のロック解除レバー４７の接続空間６１にトーションスプリング７６をそれぞれ挿入し、上向き突片７７を下方からバネ係止孔５４に挿入することによりトーションスプリング７６の接続部５５に対する前後動を規制し、さらに一方の側部（右側のトーションスプリング７６は右側部、左側のトーションスプリング７６は左側部）の中間部を一方の後方規制片６０（右側の接続部５５は右側の後方規制片６０、左側の接続部５５は左側の後方規制片６０）の上面（後方規制部６０ａ）に載せ、他方の側部（右側のトーションスプリング７６は左側部、左側のトーションスプリング７６は右側部）の係止突起７９を他方の後方規制片６０（右側の接続部５５は左側の後方規制片６０、左側の接続部５５は右側の後方規制片６０）の後縁に下方から係止すると共に他方の側部の係止突起８０を他方の後方規制片６０の前縁に上方から係止する（図１２、図１４、図１５参照）。次いでループハンドル７０の左右の後端接続部７２を前方から左右の接続空間６１にそれぞれ挿入し、後端接続部７２の後部をトーションスプリング７６の左右の側部間の空間に挿入し、かつ係止溝７４を前側係止部７８に係止させる。
このようにループハンドル７０及びトーションスプリング７６を左右のレールユニット２０と一体化することによりスライドシート装置１０をアッセンブリすると、後端接続部７２によってトーションスプリング７６の前部（後方規制片６０より前方に位置する部分）が僅かに下方に弾性変形されるので、トーションスプリング７６の前部が発生する上向きの付勢力（弾性力）によって後端接続部７２の上面前部が前方規制部５６に接触すると共に下側当接面７３が左右の後方規制片６０の後方規制部６０ａに接触する（図１６参照）。このようにしてループハンドル７０を左右のロック解除レバー４７（接続部５５）に接続した後に乗客が手で把持部７１を掴んでループハンドル７０全体を上方に回転させると、この回転力が後端接続部７２から前方規制部５６と後方規制部６０ａにそれぞれ掛かり、ロック解除レバー４７（接続部５５）が後端接続部７２と一緒に上方に回転するので、ロック位置に位置していたロック解除レバー４７をアンロック位置まで回転させることができる。一方、ループハンドル７０全体を下方に回転させると、左右の後端接続部７２が前側係止部７８との係合部を支点として回転し（後端接続部７２の後部は後方許容空間５９内を上方に回転し、後端接続部７２の前部は前方許容空間５７内を下方に回転する）前方規制部５６と後方規制部６０ａからそれぞれ離れるので（図１７参照）、この回転力が後端接続部７２から対応するロック解除レバー４７（接続部５５）に伝わることはない（左右のロック解除レバー４７は回転しない）。
【００１５】
図１、図３、図４に示す位置決めピンＰの下半部を床板Ｆの位置決め孔Ｆ２に嵌合した後に、床板Ｆから上方に突出した位置決めピンＰの上部にスライドシート装置１０の左右のロアレール２１の位置決め孔２２ｂをそれぞれ嵌合させると、左右のロアレール２１に固定したスペーサ２７の下面が床板Ｆの上面に接触し、各ボルト挿入孔２２ａ及び貫通孔２８が対応するネジ孔Ｆ１の直上に位置するので、固定ボルト３０の頭部３１の下面が底壁２２の上面に圧接するまでネジ部３３を対応するネジ孔Ｆ１に螺合させれば、スライドシート装置１０が床板Ｆに固定される。
【００１６】
左右のアッパレール３５は図２に示す後端位置までロアレール２１に対して後方にスライド可能であり、また図１に示す前端位置までロアレール２１に対して前方にスライド可能である。図５に示すようにロック解除レバー４７がロック位置に位置するとき前後の固定ボルト３０の頭部３１と中間部４８は同じ高さに位置する（中間部４８の側壁５１が頭部３１と上下方向にオーバーラップする）ものの、アッパレール３５が後端位置に位置するときロック解除レバー４７全体が前後の固定ボルト３０（頭部３１）の間に位置するので、前後の頭部３１とロック解除レバー４７が干渉することはない。一方、ロック解除レバー４７を前端位置までスライドさせて中間部４８と前側の頭部３１の前後方向位置を一致させた後にロック解除レバー４７をロック位置に戻しても、図５に示すように中間部４８の受容凹部４８ａに前側の固定ボルト３０の頭部３１が位置するので、中間部４８が頭部３１と干渉することはない。このようにロック解除レバー４７の受容凹部４８ａを利用して前側の固定ボルト３０の頭部３１との干渉を避けているので、ロック解除レバー４７をロアレール２１の底壁２２側に近づけて配設することが可能であり、それゆえレールユニット２０の低寸化を実現可能である。
なお、アッパレール３５を前端位置よりやや後方にスライドさせて接続部５５と前側の固定ボルト３０の頭部３１の前後方向位置を一致させた後にロック解除レバー４７をロック位置に戻しても、接続部５５の下面は頭部３１より上方に位置するので、この場合も頭部３１とロック解除レバー４７が干渉することはない。
また、ロック解除レバー４７は一対の側壁５１を有する下向きコ字形断面形状であるため、ロック解除レバー４７の基材である金属板が薄い場合であっても機械的強度を高くすることが可能である。
しかも、ロック解除レバー４７の左右の側壁５１に形成した稜線部４７ｂ、５２ａがアッパレール３５の左右の側壁部３６ｂの内側面と微小隙間をもって当接可能に対向するので、各稜線部４７ｂ、５２ａ（側壁５１の一部）によってロック解除レバー４７のアッパレール３５に対する左右触れが防止される。
【００１７】
さらにアッパレール３５にロック解除レバー４７を回転支持するための回転軸を設けていないので、アッパレール３５に対するロック解除レバー４７の回転支持構造は、部品点数が少なくかつ構造が簡単である。
また、ロック解除レバー４７の接続部５５もループハンドル７０の後端接続部７２を回転支持するための回転軸を具備していないので、接続部５５に対するループハンドル７０（後端接続部７２）の回転支持構造も、部品点数が少なくかつ構造が簡単である。
【００１８】
また当該車両に別の車両が衝突した場合に、例えば図１８に示すように右側のロアレール２１の後部（固定ボルト３０によって床面Ｆに固定された部分）が床板Ｆの当該部分を上向きに変形させながら上方に浮き上がると（後端部が前端部に比べて上方に移動すると）、右側のロック解除レバー４７の前部が自身の後部に比べて下方に移動（回転）するので、この下方への移動力が当該ロック解除レバー４７からループハンドル７０の右側の後端接続部７２に伝わる。すると、左側の後端接続部７２も右側の後端接続部７２と一緒に下方に移動（回転）するが、左側の後端接続部７２は左側のロック解除レバー４７（接続部５５）に対して下方へ相対回転するため、左側の後端接続部７２の移動力（回転力）は左側のロック解除レバー４７には伝わらない。そのため、左側のロックバネ６３による左側のレールユニット２０のロック状態は保持され続けるので、シート１１（アッパレール３５）がロアレール２１に対して不意にスライドすることがなく安全である。
【００１９】
以上、上記実施形態を用いて本発明を説明したが、本発明は様々な変更を施しながら実施可能である。
例えば、図２０〜２２に示すロック解除レバー８５を採用してもよい。このロック解除レバー８５はロック解除レバー４７の一方の側壁５１を省略した断面略Ｌ字形状である。この場合もロック解除レバー８５を前端位置までスライドさせて中間部４８と前側の頭部３１の前後方向位置を一致させた後にロック解除レバー８５をロック位置に戻しても、図２２に示すように中間部４８の受容凹部４８ａに前側の固定ボルト３０の頭部３１が位置するので、中間部４８が頭部３１と干渉することはない。また、ロック解除レバー８５は左右のいずれかに側壁５１を有しているので、ロック解除レバー８５の基材である金属板が薄い場合であっても機械的強度を高くすることが可能である。
また図２３に示すように、一方の側壁５１の前後両端部を除いた部分のみを省略したロック解除レバー９０を採用してもよい。
また図２４に示すように、ロック解除レバー４７の左右の側壁５１（あるいはロック解除レバー８５、９０の側壁）に、稜線部４７ｂ、５２ａの代わりとして、例えば略半円柱形状のリブ４７ｃ（稜線部５２ａの代わりのリブは図示略）を形成してもよい。このようなリブ４７ｃをアッパレール３５の側壁部３６ｂの内側面と微小隙間をもって当接可能に対向させれば、ロック解除レバー４７（８５、９０）のアッパレール３５に対する左右触れ効果がさらに向上する。
さらに、ロアレール２１を床板Ｆに固定するための固定手段は固定ボルト３０には限定されず、例えばリベット（図示略）を利用してもよい。この場合は床面Ｆに固定したブラケット（図示略。床板Ｆの一部を構成する）にロアレール２１を載せて、ロアレール２１の底壁２２とブラケットをリベットで固定する。そして中間部４８とリベットの突出部（底壁２２の上方に突出する上端部）の前後方向位置を一致させた後にロック解除レバー４７、８５、９０をロック位置に戻したときに、当該突出部が受容凹部４８ａ内に位置するようにする。
【符号の説明】
【００２０】
１０    スライドシート装置
１１    シート
１５    スライドレール装置
２０    レールユニット
２１    ロアレール
２２    底壁
２２ａ  ボルト挿入孔
２２ｂ  位置決め孔
２３    外壁部
２４    内壁部
２５    ロック溝
２７    スペーサ
２８    貫通孔
３０    固定ボルト（固定部材）
３１    頭部（突出部）
３２    フランジ
３３    ネジ部
３５    アッパレール
３６    基部
３６ａ  天井部
３６ｂ  側壁部
３７    レバー収納溝
３８    立上り壁
３９    被ロック壁
４０    案内溝
４２  ４３  係止片（支持部）
４７    ロック解除レバー
４７ａ  レール内蔵部
４７ｂ  稜線部
４７ｃ  リブ
４７ｄ  基壁
４８    中間部
４８ａ  受容凹部
４９    狭幅部
５０    回転接触凸部（回転接触部）
５１    側壁
５２    バネ掛け溝（第１の係合部）（バネ押圧部）
５２ｂ  稜線部
５３    ロックバネ係止孔（第２の係合部）
５４    バネ係止孔
５５    接続部
５６    前方規制部（回転規制部）
５７    前方許容空間（回転許容空間）
５８    凹部
５９    後方許容空間（回転許容空間）
６０    後方規制片
６０ａ  後方規制部（回転規制部）
６１    接続空間
６３    ロックバネ（付勢手段）
６４    ロック部
６５    前端係止片
６６    レバー押圧部
６８    リテーナ
６９    ベアリングボール
７０    ループハンドル（ハンドル）
７１    把持部
７２    後端接続部
７３    下側当接面
７４    係止溝
７６    トーションスプリング（付勢手段）
７７    上向き突片
７８    前側係止部（係止部）
７９  ８０  係止突起
８５    ロック解除レバー
９０    ロック解除レバー
Ａ      接触部
Ｆ      床板
Ｆ１    ネジ孔
Ｆ２    位置決め孔
Ｎ      ウェルドナット
Ｐ      位置決めピン
【図１】
0005498554.tif 000002
【図２】
0005498554.tif 000003
【図３】
0005498554.tif 000004
【図４】
0005498554.tif 000005
【図５】
0005498554.tif 000006
【図６】
0005498554.tif 000007
【図７】
0005498554.tif 000008
【図８】
0005498554.tif 000009
【図９】
0005498554.tif 000010
【図１０】
0005498554.tif 000011
【図１１】
0005498554.tif 000012
【図１２】
0005498554.tif 000013
【図１３】
0005498554.tif 000014
【図１４】
0005498554.tif 000015
【図１５】
0005498554.tif 000016
【図１６】
0005498554.tif 000017
【図１７】
0005498554.tif 000018
【図１８】
0005498554.tif 000019
【図１９】
0005498554.tif 000020
【図２０】
0005498554.tif 000021
【図２１】
0005498554.tif 000022
【図２２】
0005498554.tif 000023
【図２３】
0005498554.tif 000024
【図２４】
0005498554.tif 000025